(57)【特許請求の範囲】
【請求項１】
電磁誘導型の非接触のカードを積み重ね、該積み重ねに伴ってカードを一枚毎に排出させながら所定の情報を前記カードに書き込むカード情報書込装置の搬送系であって、
前記カードを、ベルトで受けて搬送し、所定位置で前記カードを一旦停止させて  再び前記カードを後段に搬送する搬送ベルト機構部と、
前記搬送ベルト機構部の前記所定位置の上方に、所定間隔を有して取り付けられ、下方に前記情報に応じた電波を放射する内部電波放射部と、
非金属体で上面が覆われて筐体に取り付けられ、かつ前記搬送ベルト機構部の後段に取り付けられ、下方に、発券情報に応じた電波を放射する外部電波放射部と、
前記外部電波放射部の後段に設けられ、前記外部電波放射部を介して前記カードの面に対して発券情報を印字する印字部と、
前記搬送ベルト機構部からの前記カードを前記外部電波放射部、印字部に搬送するローラ部と
を有することを特徴とするカード情報書込装置の搬送系。
【請求項２】
電磁誘導型の非接触のカードを積み重ね、該積み重ねに伴ってカードを一枚毎に排出させながら所定の情報を前記カードに書き込むカード情報書込装置であって、
前記カードを、ベルトで受けて搬送し、所定位置で前記カードを一旦停止させて  再び前記カードを後段に搬送する搬送ベルト機構部と、
前記搬送ベルト機構部の前記所定位置の上方に、所定間隔を有して取り付けられ、下方に前記情報に応じた電波を放射する内部電波放射部と、
非金属体で上面が覆われて筐体に取り付けられ、かつ前記搬送ベルト機構部の後段に取り付けら、下方に、発券情報に応じた電波を放射する外部電波放射部と、 前記外部電波放射部の後段に設けられ、前記外部電波放射部を介して前記搬送された前記カードの面に対して発券情報を印字する印字部と、
前記搬送ベルト機構部からの前記カードを前記外部電波放射部、印字部に搬送するローラ部と
操作端末から入力された、日券又は回数券、枚数、単価、発券日、最終使用日、券番号、追加枚数、買い足し・寄せ集め指示を読み込む手段と、
前記日券が入力された場合は通常モードと判断し、前記買い足し・寄せ集め指示が入力された場合は補助モードと判断する手段と、
前記通常モードの場合は、前記入力された枚数分だけ前記カードを搬送ベルト機構部によって排出させると共に、その券種コード、発券日、券番号、金額を有する発券情報を、前記排出された前記カードに、前記内部電波放射部により書き込みさせる第１の制御部と
前記補助モードで、該補助モードが買い足しの場合は、前記外部電波放射部を駆動状態にして、前記外部電波放射部にセットされたカードの内部情報を読みとり、この内部情報の残数に前記追加枚数を加算した加算値を、前記外部電波放射部によって書き込みさせる第２の制御部と
を有することを特徴とするカード情報書込装置。
【請求項３】
前記第２の制御部は、
前記補助モードが寄せ集めの場合は、前記カードが前記外部電波放射部にセットされたときの前記内部情報の券番号、発券日、最終使用日、残数からなる第１のデータを読み込み、次に前記外部電波放射部にセットされて読み込まれた次の内部情報の券番号、発券日、最終使用日、残数からなる第２のデータを読み込み、第１，第２のデータの残回数を加算し、該加算した回数を、前記外部電波放射部によって前記次にセットされたカードに書き込みさせる手段と
を有することを特徴とする請求項２記載のカード情報書込装置。
【請求項４】
前記カード蓄積部は、
前記搬送ベルト機構部側の側板の下部を前記カード厚み分開け、かつ前記側板と向かい合う他方の側板の中央の下部に所定幅の貫通口を設け、並びに底面に前記貫通口に対応する幅の長開口を前記側板まで前記排出方向に従って設けたストッカと、
前記ストッカの下側に設けられ、回動することによってキャリアを前記貫通口と長開口とを往復運動させる送りねじ機構と
を有することを特徴とする請求項２又は３記載のカード情報書込装置。
【請求項５】
前記外部電波放射部は、非金属体で上面が覆われて、筐体に取り付けられ、この非金属体の下方に、前記発券情報に応じた電波を放射することを特徴とする請求項２、３又は４記載のカード情報書込装置。
【請求項６】
第２の制御部は、
前記補助モードが取り消しを示している場合は、入力された変更残数に応じて電波を前記外部電波放射部から発射させて前記カードに書き込むことを特徴とする請求項２，３、４又は５記載のカード情報書込装置。
【発明の詳細な説明】
【０００１】
【発明の属する技術分野】
本発明は、電磁誘導型の非接触のカードを搬送させながら正確に所望の情報を書き込めると共に、容易にスキーヤが持ち込んだリフト券カードの種類を変更できるカード情報書込装置及びその搬送系に関する。
【０００２】
【従来の技術】
一般的にスキー場のリフト乗り場は非常に混雑する。この混雑を整理して、リフトへのスキーヤーの流れを円滑にするために、かつリフトへの不正搭乗等を防止する等のために、リフト乗り場の改札ゲートには、改札係が配置されている。
【０００３】
この改札係は、改札ゲートを通過するスキーヤーの腕等に、ホルダにより担持されたリフト券の数字をパンチ等で穴開けした後に、リフトにスキーヤーを誘導していた。
【０００４】
しかし、このような改札業務は、冬季の野外という環境で行うため改札係にとっては非常に辛い仕事でもあった。
【０００５】
また、非常に混雑するスキー場では、一つのリフト乗り場に複数のリフトを設けるのが一般的である。このような場合は、改札も複数となり、その改札数に応じた員数を配置しなければならないので人件費も非常にかかる。
【０００６】
このようなことから、近年は、図１２に示すように、発信機能付きの非接触ＩＣカードにスキー場のリフト券の情報（スキー場名、年月日、券種、金額等）を書込んだリフト券カードを、スキーヤーの腕等に担持させ、改札ゲートにてリフト券カードの情報を非接触で自動的に読込んで改札するスキー場自動改札システムを配置したスキー場もある。
【０００７】
このリフト券カードは、例えば一日券用のリフト券カード１ａ、半日券用のリフト券カード１ｂ、回数券用のリフト券カード１ｃ、ナイター券用のリフト券カード１ｄ等の種類がある。これらのリフト券カードは、表面にはスキー場名と、年月日と、券種と、金額と（以下総称して印字情報という）がサーマル記録紙で印字されていると共に、内部に同様な情報（以下内部情報という）が記憶されている。また、リフト券カードは、それぞれ表裏が確認できるマークが付与されている。
【０００８】
図１２に示すスキー場自動改札システムは、文字及び内部情報が書込まれていない非接触ＩＣカード３に所定のリフト券情報を書込んだリフト券カード１ａ、１ｂ、１ｃ、１ｄを発券するカード発券機５を販売所に配置している。
【０００９】
また、ゲレンデには、挿入されたリフト券カード１ａ、１ｂ、１ｃ、１ｄが自スキー場のものであれば、内部情報と表面の印字情報を消去した非接触ＩＣカード３にして回収箱１１に投入すると共に、預かり代金を返却するリフト券回収機１３等を配置している。
【００１０】
さらに、改札ゲートには、スキーヤーがゲートを通過する都度、リフト券カード１ａ、１ｂ、１ｃ、１ｄの内部情報を非接触で自動的に読込んで通過を許可するゲート機１５ａ、１５ｂ……とを配置している。
【００１１】
カード発券機５には、券種に対応するストッカー１７ａ、１７ｂ、１７ｃ、１７ｄが設けられている。これらのストッカーは、例えば、一日券はストッカー１７ａ、半日券はストッカー１７ｂ、回数券はストッカー１７ｃ、ナイター券はストッカー１７ｄにそれぞれ挿入するようにされている。
【００１２】
このようなカード発券機５は、初めは販売所の係員が、印字情報及び内部情報が書込まれていない複数の非接触ＩＣカード３をリフトカード発券機５のストッカー１７ａ、１７ｂ、１７ｃ、１７ｄに挿入する。そして、販売所の係員はカード発券機５を操作して、一日券、半日券、回数券、ナイター券等の券種及び発行枚数等を入力する。すると、カード発券機５のカード情報書込装置（図示せず）は、非接触ＩＣカード３が前段から搬送されてくると、直ちに所定の情報を内部に書き込んだ後に、表面に所定の情報を印字したリフト券カード１ａ、１ｂ、１ｃ又は１ｄを発券させていた。これらのリフト券カード１ａ、１ｂ、１ｃ、１ｄ及び非接触ＩＣカード３を総称して単にカードという。
【００１３】
【発明が解決しようとする課題】
しかしながら、所定の情報を正確に書き込んだり、印字するには前段との搬送速度との同期が正しく取られていなければならない。
【００１４】
ところが、従来のカード発券機は、表面の文字が消去されたカードが前段から搬送されてくると、直ちに所定の情報を内部に書き込んだ後に、表面に所定の情報を印字して発券しているので、前段との搬送速度との同期が正しく取られない場合があった。
【００１５】
このため、カードに所定の情報が正しく書き込まれない場合があるという問題点があった。
【００１６】
また、従来のカード発券機は、真鍮等によって構築した搬送ガイド上を搬送させながら所定の情報をカードの内部に書き込んだ後に、表面に所定の情報を印字して発券している。
【００１７】
このため、アンテナからの電波が真鍮材によって散乱して、カードに所定の情報が正しく書き込まれない場合があるという問題点があった。
【００１８】
さらに、スキーヤによっては、現在携帯しているリフト券カードの種類を変更したい場合がある。
【００１９】
例えば、回数券から一日券に変更したい場合には、販売所に回数券のリフト券カードを直接持って行って新たに一日券のリフト券カードを発券してもらうが、従来のカード発券機は、単にカードが前段から搬送されてくると、所定の情報を内部に書き込んだ後に、表面に所定の情報を印字して発券するのみであるので、残り何回分かどうかを検出できない。
【００２０】
このため、スキーヤは一旦、回収機にて回数券のリフト券カードを回収させた後に、販売所にて一日券のリフト券カードを発券してもらわなければならないので、スキーヤにとっては非常に煩わしいという問題点があった。
【００２１】
本発明は、以上の問題点を解決するためになされたもので、カードに正確な内部情報を書き込めると共に、容易にスキーヤが持ち込んだリフト券カードの種類を容易に変更できるカード情報書込装置を得ることを目的とする。
【００２２】
【課題を解決するための手段】
請求項１のカード情報書込装置の搬送系は、電磁誘導型の非接触のカードを積み重ね、該積み重ねに伴ってカードを一枚毎に排出させながら所定の情報を前記カードに書き込むカード情報書込装置の搬送系である。
【００２３】
前記カードを、ベルトで受けて搬送し、所定位置で前記カードを一旦停止させて  再び前記カードを後段に搬送する搬送ベルト機構部と、 前記搬送ベルト機構部の前記所定位置の上方に、所定間隔を有して取り付けられ、下方に前記情報に応じた電波を放射する内部電波放射部と、非金属体で上面が覆われて筐体に取り付けられ、かつ前記搬送ベルト機構部の後段に取り付けられ、下方に、発券情報に応じた電波を放射する外部電波放射部と、前記外部電波放射部の後段に設けられ、前記外部電波放射部を介して前記カードの面に対して発券情報を印字する印字部と、前記搬送ベルト機構部からの前記カードを前記外部電波放射部、印字部に搬送するローラ部とを備えたことを要旨とする。
【００２４】
請求項１のカード情報書込装置の搬送系においては、搬送ベルト機構部の前に設けられたカード蓄積部によってカードが受け取られて水平に積み重ねられながら一枚毎に搬送ベルト機構部に排出されて、電波放射部からの電波によって、カードには所定の情報が書き込まれたり、又は内部情報が読みとられる。
【００２５】
電磁誘導型の非接触のカードを搬送ベルト機構部が受け取って搬送するとそのカードは、所定位置に来ると一旦、搬送が停止される。
【００２６】
そして、所定位置上に、所定間隔を有して取り付けられた内部電波放射部からの電波によって、カードには所定の情報が書き込まれたり、又は内部情報が読みとられる。
【００２７】
また、搬送ベルト機構部の後段に取り付けらた外部電波放射部によって、下方に、発券情報に応じた電波が放射される。そして、印字部に搬送されて、発券情報がカードに印字される。
【００２８】
請求項２のカード情報書込装置は、電磁誘導型の非接触のカードを積み重ね、該積み重ねに伴ってカードを一枚毎に排出させながら所定の情報を前記カードに書き込むカード情報書込装置である。
【００２９】
前記カードを、ベルトで受けて搬送し、所定位置で前記カードを一旦停止させて  再び前記カードを後段に搬送する搬送ベルト機構部と、 前記搬送ベルト機構部の前記所定位置の上方に、所定間隔を有して取り付けられ、下方に前記情報に応じた電波を放射する内部電波放射部と、非金属体で上面が覆われて筐体に取り付けられ、かつ前記搬送ベルト機構部の後段に取り付けら、下方に、発券情報に応じた電波を放射する外部電波放射部と、
前記外部電波放射部の後段に設けられ、前記外部電波放射部を介して前記搬送された前記カードの面に対して発券情報を印字する印字部と、前記搬送ベルト機構部からの前記カードを前記外部電波放射部、印字部に搬送するローラ部と、操作端末から入力された、日券又は回数券、枚数、単価、発券日、最終使用日、券番号、追加枚数、買い足し・寄せ集め指示を読み込む手段と、前記日券が入力された場合は通常モードと判断し、前記買い足し・寄せ集め指示が入力された場合は補助モードと判断する手段と、前記通常モードの場合は、前記入力された枚数分だけ前記カードを搬送ベルト機構部によって排出させると共に、その券種コード、発券日、券番号、金額を有する発券情報を、前記排出された前記カードに、前記内部電波放射部により書き込みさせる第１の制御部と、 前記補助モードで、該補助モードが買い足しの場合は、前記外部電波放射部を駆動状態にして、前記外部電波放射部にセットされたカードの内部情報を読みとり、この内部情報の残数に前記追加枚数を加算した加算値を、前記外部電波放射部によって書き込みさせる第２の制御部とを備えたことを要旨とする。
【００３０】
請求項２のカード情報書込装置においては、第１の制御部が各部を制御してカードを搬送させる。
【００３１】
すると、前段からの電磁誘導型の非接触のカードがカード蓄積部によって蓄積されて一枚毎に排出される。
【００３２】
そして、搬送ベルト機構部によって搬送されて、そのカードは所定位置に来ると一旦、搬送が停止される。
【００３３】
次に、所定位置上に取り付けられた電波放射部からの電波によって、カードには所定の情報が書き込まれたり、又は内部情報が読みとられて後段の印字機構部に排出される。
そして、外部電波放射部の非金属体にカードがセットされると、このカードの内部情報が第２の制御部によって読み込まれて外部に送出される。
【００３４】
また、外部から変更情報が送出されると、第２の制御部は外部電波放射部を駆動して、その変更情報を書込させる。
【００３５】
請求項３は、前記第２の制御部は、
前記補助モードが寄せ集めの場合は、前記カードが前記外部電波放射部にセットされたときの前記内部情報の券番号、発券日、最終使用日、残数からなる第１のデータを読み込み、次に前記外部電波放射部にセットされて読み込まれた次の内部情報の券番号、発券日、最終使用日、残数からなる第２のデータを読み込み、第１，第２のデータの残回数を加算し、該加算した回数を、前記外部電波放射部によって前記次にセットされたカードに書き込みさせる手段と
を備えたことを要旨とする。
【００３６】
また、前記カード蓄積部は、
前記搬送ベルト機構部側の側板の下部を前記カード厚み分開け、かつ前記側板と向かい合う他方の側板の中央の下部に所定幅の貫通口を設け、並びに底面に前記貫通口に対応する幅の長開口を前記側板まで前記排出方向に従って設けたストッカと、 前記ストッカの下側に設けられ、回動することによってキャリアを前記貫通口と長開口とを往復運動させる送りねじ機構とを備えたことを要旨とする。
【００３７】
また、前記外部電波放射部は、非金属体で上面が覆われて、筐体に取り付けられ、この非金属体の下方に、前記発券情報に応じた電波を放射することを要旨とする。
【００３８】
また、第２の制御部は、前記補助モードが取り消しを示している場合は、入力された変更残数に応じて電波を前記外部電波放射部から発射させて前記カードに書き込むことを要旨とする。
【００３９】
【発明の実施の形態】
図１は、本発明の実施の形態のカード情報書込装置の概略構成図である。図２は図１のＡ方向から見たときの側面図である。
【００４０】
図１のカード情報書込装置２０は、前段からのカードを受けて蓄積し、一枚毎に排出するカード蓄積部２２と、カード蓄積部２２からのカードを一枚毎に水平搬送する搬送ベルト機構２３と、搬送ベルト機構２３の上部に設けられ、所定の電場を生成して搬送されて来たカードの内部情報を検出し、かつ後述するコンピュータ回路部からの発券情報に応じた電波を放射する内部アンテナ２４とを備え、前段から搬送されて来たカードを水平に蓄積して、一枚毎に水平搬送しながら内部アンテナ２４からの電波を直接、カードに発射して発券情報を書き込んで搬送する。
【００４１】
また、カード情報書込装置２０は、所望の発券情報が表面に印字されたカードを排出口３０に搬送する下部ローラ３２ａ、３２ｂ及び３２ｃ並びに上部ローラ３３ａ及び３３ｂと、上部ローラ３３ａと上部ローラ３３ｂとの間に設けられ、搬送されて来たカードの表面に発券情報に対応する文字を印字する印字部３５とを備えている。これらのローラと印字部３５とを総称して印字機構部という。
【００４２】
さらに、カード情報書込装置２０は、図１及び図２に示すように、内部アンテナ２４の近傍に外部アンテナ３７を備え、カードを本装置の内部で搬送させなくとも、外部アンテナ３７によって、セットされたカードの内部情報を読み込むと共に、内部情報を書き換える。
【００４３】
さらに、カード情報書込装置２０は、データ入力部４０と、ドライバ回路部４１と、コンピュータ回路部４２とを備えている。データ入力部４０は、後述する操作端末からの指示情報を入力してコンピュータ回路部４２に送り、コンピュータ回路部４２からの設定情報に従って各アンテナからの情報を送出する。
【００４４】
ドライバ回路部４１は、コンピュータ回路部４２からの制御指示に基づいて各部のモータ及び各アンテナ等をを制御する駆動信号を出力する。
【００４５】
コンピュータ回路部４２は、データ入力部４０からの指示情報を解読し、一日券又は数日券のリフト券カードを発券する通常モードの場合は、スキー場コード、券種コード、発券日付、券番号、金額等の発券情報等を書き込みさせる制御指示をドライバ回路部４１に送出する。
【００４６】
また、データ入力部４０からの指示情報が後述する「買い足し」又は「寄せ集め」等の補助モードの場合は、ドライバー回路部４１に内部アンテナ３７を駆動状態にさせる制御指示を行う。そして、買い足し」又は「寄せ集め」等の指示情報に基づいて内部アンテナ４１からのカードの内部情報を読み、「買い足し」又は「寄せ集め」等の処理を行い、この処理結果をデータ入力部４０を介して操作端末に送出する。
【００４７】
また、通常モードに伴うコンピュータ回路部４１及びドライバ回路部４２等の処理はカード情報書込装置２０の第１の制御部による処理とし、補助モードに伴うコンピュータ回路部４１及びドライバ回路部４２等の処理はカード情報書込装置２０の第２の制御部による処理として説明する。
【００４８】
（各部の詳細説明）
カード蓄積部２２は、図１及び図２に示すように、搬送ベルト機構２３部側の側４３ａ板の下部をカード厚み分開け、かつ側板４３ａと向かい合う他方の側板４３ｂの中央の下部に所定幅の貫通口４４ａを設け、並びに底面に貫通口４４ａに対応する幅の長開口４４ｂを側板４３ａまで排出方向に従って設け、前段からのカードを水平に蓄積するたストッカ４５と、ストッカ４５の下側に設けられ、回動することによってキャリア４８を貫通口４４ａと長開口４４ｂとを往復運動させる送りねじ機構４６とから構成されている。
【００４９】
この送りねじ機構４６は、図２に示すように、送りねじ４７の回動によって、カードキャリァ４８を水平ロール４９に沿って往復運動させることにより、カードをストッカ４５から一枚毎に排出させる。また、カードキャリァ４８の往復運動は、図２に示すように、水平ロールバー４９上の初期位置から端を往復運動する。
【００５０】
搬送ベルト機構２３は、図１に示すように、スタッカ４５と、第１のベルト５０と、第１のベルト５０の両側に沿って設けられたガイド５１と、第１のベルト５０の上に設けられた第２のベルト５２とから構成され、第１のベルト５０、ガイド５１及び第２のベルト５２でカードを挟み込むようにして搬送する
また、第１のベルト５０の両端には、ギア５３ａ及びローラ５３ｂが設けられ、ローラ５３ｂがモータ５６に連結されたベルト５７によって回動する。また、第２のベルト５２の両端にはギア５４ａ及びローラ５４ｂが設けられている。
【００５１】
すなわち、モータ５６の回動に伴ってローラ５３ｂが回動して第１のベルト５０を動かすことによってギア５３ａを回動させ、このギア５３ａの回動がギア５４ａを動かす。従って、モータ５６の回動に伴って第２のベルト５２と第１のベルト５０とが双方ともに動いてカードを搬送する。
【００５２】
そして、搬送ベルト機構２３は、カード蓄積部２２からのカード３をギア５３ａと上ギア５４ａとで挟んで第１のベルト５０及び第２のベルト５２に送る。  また、搬送ベルト機構２３を出るカードをローラ５３ｂと上ローラ５４ｂとで挟んで印字機構側に搬送させる。
【００５３】
電波吸収板２５は、第２のベルト５２から所定距離離されて筐体に取り付けられている。
【００５４】
すなわち、内部アンテナ２４と搬送ベルト機構２３との間の空間には、電波に影響を与える部材を何も置かないようにしている。
【００５５】
このため、搬送されて来たカードにはノイズ等が混ざった発券情報が書き込まれたり、ノイズが混ざった発券情報を内部アンテナ２４が受信することはない。
【００５６】
内部外アンテナ２４及び外部アンテナ３７は、図１及び図２に示すように、コイル状に銅線を複数巻いて形成している。
【００５７】
また、外部アンテナ３７は、上面に樹脂板、アクリル板等の非金属体３８が取り付けられ、この非金属体３８上にカードがセットされるようにしている。
【００５８】
上述のように構成されたカード情報書込装置２０は、図３に示すように、ホッパ６０にバラバラに投入されたリフト券カード１ａ、１ｂ、１ｃ、１ｄ若しくは非接触ＩＣカード３であるカードを自動的に一枚に搬送させるカード垂直搬送装置６１と、カード垂直搬送装置６１からのカードを水平搬送しながら表面の文字を消去するカード表面文字消去装置６２とを組み合わせ、端末装置６３からの指示に基づく発券情報を発券するカード発券機６４に搭載する事が望ましい。
【００５９】
また、図３に示すように、カード情報書込装置２０のデータ入力部４０は、操作端末６３からの情報を読み込んでコンピュータ回路部４２に送出したり、カード発券機６４の情報を操作端末６３に送出したり、あるいはメモリＩＣ６５にコンピュータ回路部４２からの情報を書き込む読取り制御回路６７と、キーボード６８と、ＬＣＤ６９とを備えている。
【００６０】
図３に示すカード垂直搬送装置６１は、ホッパ６０からのカードを一枚毎に立てた状態で搬送しながら反転機７０で受け、この反転機７０がカードの表裏に基づいて回動する。
【００６１】
カード表面文字消去装置６２は、図３に示すように、カード垂直搬送装置６１からのカードを水平に受けて、一枚毎に搬送させながらヒータ７２によってカードの表面に熱を加えて表面文字を消去する。そして、ハロゲンヒータローラ７３及び７４によって再度熱を加えてカード情報書込装置２０側に搬送する。
【００６２】
このような、カード発券機６４は、図４に示すカバー７８が取り付けられるものである。
【００６３】
（カード情報書込装置２０の動作説明）
上記のように構成されてカード発券機６４に搭載されたカード情報書込装置２０の動作を図５のフローチャートを用いて説明する。
【００６４】
例えば、操作端末６３においては、図６に示すように、一日券、２日券、・・・１０日券等の日券ボタンと、２時間券、４時間券等の時間券ボタンと、回数券大人券、回数券小等の回数券種別ボタン等からなるリフト券発券メニュー画面を表示し、一日券が３枚とされている。
【００６５】
そして、図６に示す発券ボタンが押下されると、操作端末６３は、現在の日時と券種、枚数、スキー場名等（以下総称して発券情報Ｈｉという）からなるカード書込情報Ｊｉと発券モードＭｉとをカード発券機６４のカード情報書込装置２０のデータ入力部４０に送出する。
【００６６】
この発券モードは、通常モードと補助機能モード等からなる。例えば、日券が選択されたときは、通常モード、回数券が選択されたときは補助機能モードとなる。
【００６７】
カード書込情報Ｊｉが操作端末６３から送出されると、コンピュータ回路部４２はカード情報書込装置２０のデータ入力部４０が読み込んだ発券モードＭｉとカード書込情報Ｊｉとを読み込む（Ｓ５０１）。そして、読み込んだカード書込情報Ｊｉから通常モード又は補助機能モードかのモードＭｉの判定を行う（Ｓ５０３）。ステップＳ５０３の処理で通常モードと判定したときは、カード蓄積部２２のストッカ４５にカードがあるかどうかを判定する（Ｓ５０５）。このカード有無の判定は、カード蓄積部２２に設けられたセンサ（図示せず）からの検出信号に基づいて判定する。
【００６８】
次に、カードがストッカ４５に蓄積されているときは、スタッカ４５の下方に設けられている送りねじ機構４６の送りねじ４７を制御する制御指示をドライバ回路部４１に出力して、カードを一枚毎にカード蓄積部２２から排出させて、搬送ベルト機構２３に渡して搬送させる（Ｓ５０７）。
【００６９】
このカード蓄積部２２からのカードの排出に伴って、内部アンテナ２４を受信状態にしてカードの内部情報を読み込みさせ、内部情報が自スキー場のものであるときは、ステップＳ５０１で読み込んだ発券情報Ｈｉに応じた電波を内部アンテナ２４から発射させて、搬送されて来たカードに発券情報Ｊｉを書込させる（Ｓ５０９）。内部アンテナ２４の受信及びの電波の発射は、ドライバ回路部４１を制御することによって行う。
【００７０】
すなわち、第１の制御部は、通常モードの場合は、各部を制御すると共に、カード蓄積部２２からのカードの排出に伴って、内部アンテナ２４に所定の発券情報を送出している。
【００７１】
また、内部アンテナ２４と搬送ベルト機構２３との空間領域には、図１及び図２に示すようにゴム材であるベルトのみしか置かれていないので、カードの内部情報はノイズが混入することなく内部アンテナ２４に受信されると共に、発射電波の散乱が抑制されるので正確に発券情報Ｈｉが書き込まれる。
【００７２】
そして、カードが搬送ベルト機構２３から排出されると、発券情報Ｈｉを印字部３５に出力してカードの表面に、発券情報Ｈｉを印字させ（Ｓ５１１）、排出口３０に搬送させる。
【００７３】
このステップＳ５１１の処理に伴って、操作端末６３に発券完了枚数を送出して図７に示すように表示させる（Ｓ５１３）。
【００７４】
次に、カード書込情報Ｊｉに基づく枚数を書き込んだかどうかを判定し（Ｓ５１５）、カード書込情報Ｊｉに基づく枚数を書き込んでいないときは、処理をステップＳ５０１に戻してカード書込情報Ｊｉに基づく枚数を書込させる。
【００７５】
従って、カード書込情報Ｊｉに基づく一日券を３枚書きみが終わったときは、操作端末６３には、図７に示すように、完了枚数が３枚と表示される。また、操作端末６３は、図７に示すように、発券枚数と完了枚数とが一致すると、合計金額を計算して表示する。
【００７６】
さらに、スキーヤが販売所に来て、現在持っている回数券のカードの残数を増やす要求をしたときは、販売所の係員は、操作端末６３を操作して「買い足し」の補助機能モードにする。
【００７７】
これにより、ステップＳ５０３で補助機能モードで「買い足し」と判定される。「買い足し」と判定したときは、外部アンテナ３７を受信状態にして、外部アンテナ３７の非金属体３８にセットされたカードの内部情報を読み込む（Ｓ５２０）。そして、内部情報が回数券を示しているかどうかを判定する（Ｓ５２２）。ステップＳ５２２で回数券と判定されたときは、外部アンテナ３７にセットされたカードの内部情報を受け付け（Ｓ５２４）、このセットされたカードの残数を操作端末６３に知らせる（Ｓ５２６）。
【００７８】
操作端末６３は、カード発券機６４のカード情報書込装置２０から内部情報が送出されると、図８に示すように表示する。
【００７９】
図８では、発行日、残数等のカード内容画面と、テンキー画面とが表示され、係員は、カード内容画面を見て、必要な数をテンキー画面より入力する。
【００８０】
そして、カード情報書込装置２０は、セットされたカードの残数と販売所の係員が入力した数値とを加算し、この加算値を操作端末６３からの変更残数としてカード情報書込装置２０に送出する。
【００８１】
カード情報書込装置２０は、ドライバ回路部４１を制御して変更残数に応じた電波を外部アンテナ３７から発射させて、セットされたカードに変更残数を書き込みさせる（Ｓ５２８）。
【００８２】
そして、カード情報書込装置２０は、ドライバ回路部４１を制御して書込が終わったセットされているカードの内部情報を読み込んで操作端末端６３に送出する（Ｓ５３０）。操作端末６３は、カード発券機６４のカード情報書込装置２０からの情報を読みとり、金額を計算して表示する。そして、カード情報書込装置２０は、操作端末６３から完了指示があるかどうかを判定し（Ｓ５３２）、完了指示があった場合は、本処理を終了する。
【００８３】
さらに、ステップＳ５２２で回数券ではないと判定したときは、受付できないことを操作端末６３に知らせて（Ｓ５３４）、本処理を終了する。
【００８４】
また、ステップＳ５３２で完了ではなく「取り消し」と判定した場合は、処理をステップＳ５２８に戻して、操作端末６３からの変更残数に応じた電波を外部アンテナ３７から発射させて、セットされたカードに再び変更残数を書き込みさせる。
【００８５】
すなわち、ステップＳ５２０からステップＳ５３２の処理はである第２の制御部は、外部アンテナ３７を駆動状態にして、非金属体３８上にセットされたカードの内部情報を読みとって外部に送出すると共に、受信した変更情報に応じた電波を外部アンテナ３７から発射させている。
【００８６】
つまり、図９に示すように、外部アンテナ３７にセットされたカードの残数を外部アンテナ３７を駆動して読み込み、その内部情報を操作端末６３に送出し、加算数を求めさせ、この加算数を外部アンテナ３７を駆動してセットされているカードに書込させている。
【００８７】
図９では、セットされたカードの残数が「５」で加算数が「７」の場合は、セットされたカードの変更残数が「１２」とされることを示している。
【００８８】
さらに、ステップＳ５２０で拡張機能モードが「寄せ集め」を示しているときは、「寄せ集め処理」を行う（Ｓ５４０）。
【００８９】
この「寄せ集め処理」は、外部アンテナ３７にセットされた初めのカードを、上述のステップＳ５２０からステップＳ５２６により読み込んで、操作端末６３に送出する。そして、次にセットされたカードの内部情報（カード内容ともいう）を同様にして読み込み操作端末６３に送出して、図１０に示すように表示させる。
【００９０】
図１０のカード寄せ集め画面では、初めにセットされたカードのカード内容と次にセットされたカード内容とが一緒に表示されている。そして、係員が実行を選択すると、これらの残数を加算した変更残数をカード情報書込装置２０に送出する。
【００９１】
カード情報書込装置２０は、ドライバ回路部４１を制御して変更残数に応じた電波を外部アンテナ３７から発射させて、次ぎにセットされたカードに変更残数を書き込みさせる。
【００９２】
すなわち、「寄せ集め処理」は、図１１に示すように外部アンテナ３７に初めにセットされたカードの残数を操作端末６３に送出した後に、次にセットされたカードの残数を再び操作端末６３に送出する。
【００９３】
そして、操作端末６３は、両方のカードの残数を加算し、この加算数を変更残数として、次にセットされているカードに書込させている。
【００９４】
さらに、操作端末６３は、使用済みカードを回収して保証金を返却する回収機能と、何等かの理由で使用できないリフト券カードの代金を返却する払い戻し機能と、発券したリフト券カード枚数、売上金額等を集計したり、一日の終わりに集計結果をメモリカードに書込む集計表示機能と、発券したカードを廃棄処分扱いにする廃券処理機能と、設定データの登録及び変更を行う保守機能等を備えている。
【００９５】
集計表示機能においては、カード情報書込装置２０のデータ入力部４０の読取り制御回路６７にメモリＩＣ６５を挿入し、このメモリＩＣ６５に書込させて、後でＰＯＳシステムでセンターに送信する。
【００９６】
従って、一度発券したリフト券カードであっても、スキーヤーの要望に応じて容易に変更ができる。
【００９７】
なお、上記説明では、リフト券カードの発券に用いる例を説明したが、他の非接触のＩＣカードを発券させてもよい。
【００９８】
【発明の効果】
以上のようにカード情報書込装置の搬送系によれば、電磁誘導型の非接触のカードを搬送ベルト機構部が受け取って搬送すると、そのカードが所定位置に来ると電波放射部から電波が放射される。このとき、搬送ベルト機構部と電波放射部との間には、電波に影響があるものは置かれていないので、ノイズを含まない内部情報が読み込まれると共にノイズを含まない情報が書き込まれるという効果が得られている。
【００９９】
また、カード情報書込装置の搬送系によれば、電波放射部と搬送ベルト機構部の駆動タイミングが合わなくとも、前段からのカードがカード蓄積部に一旦、蓄積されて搬送されるので、この蓄積の間に、容易に内部電波放射部と搬送ベルト機構部の駆動タイミングを合わせることができるという効果が得られている。
【０１００】
また、のカード情報書込装置の搬送系によれば、カード蓄積部のストッカにカードが積み重なると、送りねじ機構のキャリアが送りねじの回動によってストッカの側板の貫通口と底面の長開口とを往復運動する。このため、スタッカの底面側からカードが一枚毎に、排出方向に高速に排出されるという効果が得られている。
【０１０１】
さらに、カード情報書込装置によれば、第１の制御部が各部を制御してカードを搬送させ、前段からの電磁誘導型の非接触のカードがカード蓄積部によって受けて一枚毎に搬送ベルト機構部に搬送してカードが所定位置に来ると、電波放射部からの電波を発射させて所定の情報を書き込んだり、内部情報を読みとったりした後に、印字機構部で表面に文字を印字して排出する。
【０１０２】
このため、ノイズを含まない内部情報が読み込まれると共にノイズを含まない情報が書き込まれたカードに印字できるという効果が得られている。
【０１０３】
また、カード情報書込装置によれば、カード蓄積部と、搬送ベルト機構部と、電波放射部と、印字機構部と、第１の制御部とを備えていると共に、外部電波放射部及び第２の制御部を備えている。
【０１０４】
このため、外部電波放射部の非金属体板にカードがセットされると、このカードの内部情報が第２の制御部によって読み込んで外部に知らせたり、外部からの変更情報を外部ソレノイドコイルを駆動して、その変更情報を書込させることができるので、ユーザが直接カード販売所にきても直ぐに、ユーザの要望に答えることができるという効果が得られている。
【０１０５】
また、外部電波放射部を用いないときは、内部の電波放射部からの電波を発射させて所定の情報を書き込んだり、内部情報を読みとったりした後に、印字機構部で表面に文字を印字して排出させることができる。
【０１０６】
また、カード情報書込装置によれば、通常発券指示があると第１の制御部が各部を制御して、電波放射部から発券情報に応じた電波を発射させて書込み、印字機構部によって表面に文字を印字して発券するという効果が得られている。
【０１０７】
さらに、カード情報書込装置によれば、編集発券指示が外部からあると、第２の制御部が外部電波放射部を駆動状態にして、セットされたカードの内部情報を読み込んで外部に送出すると共に、外部からの変更情報を外部電波放射部を用いて書込させるという効果が得られている。
【図面の簡単な説明】
【図１】  本発明の実施の形態のカード情報書込装置の概略構成図である。
【図２】  図１のＡ方向から見たときの側面図である。
【図３】  本発明のカード情報書込装置を搭載したカード発券機の概略構成図である。
【図４】  カード発券機をカバーで覆ったときの外観図である。
【図５】  カード情報書込装置の動作を説明するフローチャートである。
【図６】  操作端末のリフト券発券画面を説明する説明図である。
【図７】  端末装置の通常発券の画面を説明する説明図である。
【図８】  買い足し画面を説明する説明図である。
【図９】  買い足し処理を説明する説明図である。
【図１０】  寄せ集め処理画面を説明する説明図である。
【図１１】  寄せ集め処理画面を説明する説明図である。
【図１２】  従来のスキー場自動改札システムを説明する説明図である。
【符号の説明】
２０  カード情報書込装置
２２  カード蓄積部
２３  搬送ベルト機構
２４  内部アンテナ
３５  印字部
３７  外部アンテナ  ４０  データ入力部
４１  ドライバー回路部
４２  コンピュータ回路部
【図１】
0003805824.tif 000002
【図２】
0003805824.tif 000003
【図３】
0003805824.tif 000004
【図４】
0003805824.tif 000005
【図５】
0003805824.tif 000006
【図６】
0003805824.tif 000007
【図７】
0003805824.tif 000008
【図８】
0003805824.tif 000009
【図９】
0003805824.tif 000010
【図１０】
0003805824.tif 000011
【図１１】
0003805824.tif 000012
【図１２】
0003805824.tif 000013